(57)【要約】【課題】様々なサイズ及び形状の被洗浄物を収納可能であると共に、小型で、軽量の被洗浄物のラック外への飛び出しを防止可能であって、且つ、小型で軽量の被洗浄物の為の固定された収納スペースを有さず、必要なときにのみ容易に小型で、軽量の被洗浄物の為の収納スペースを形成可能な汎用性を有する洗浄用ラックを提供する。【解決手段】底面及び側面を備える上部開口の函状である籠と、籠の内部に回動自在に設置される区画部材とを備え、区画部材は籠の内面に着接した状態と、籠の底面又は籠の底面及び側面と共に小物収納部を形成する状態とを形成自在である洗浄用ラック。【選択図】　　図１
2004049616.tif 000002
【特許請求の範囲】
【請求項１】
食器洗浄機に用いる食器を収納するための洗浄用ラックであって、底面及び側面を備える上部開口の函状である籠と、籠の内部に回動自在に設置される区画部材とを備え、区画部材は籠の内面に着接した状態と、籠の底面又は籠の底面及び側面と共に小物収納部を形成する状態とを形成自在であることを特徴とする洗浄用ラック。
【請求項２】
区画部材は縦面と縦面の端辺から縦面と略直角に張出する横面を備えた断面略Ｌ字形状に形成され、区画部材は区画部材の縦面端部を籠に枢着して籠に回動自在に設置され、区画部材の横面が籠の底面に着接した状態を形成自在であることを特徴とする請求項１記載の洗浄用ラック。
【請求項３】
区画部材は縦面同士が対向位置に設置され、区画部材の横面の端辺同士を着接或いは近接させて、籠の底面又は籠の底面及び側面と共に小物収納部を形成することを特徴とする請求項２記載の洗浄用ラック。
【請求項４】
区画部材は平面状に形成され、一側辺を籠の底面に回動自在に枢支し、区画部材の横面が籠の底面に着接した状態を形成自在であり、開放端辺を籠の側面又は他の区画部材の開放端辺と着接させて小物収納部を形成することを特徴とする請求項１記載の洗浄用ラック。
【請求項５】
区画部材は平面状に形成された２個以上の補助区画部材を補助区画部材の側辺同士を回動自在に結合して構成し、１個の補助区画部材の一側辺を籠の底面又は側面に回動自在に枢支し、補助区画部材が籠の底面又は籠の底面及び側面に着接した状態を形成自在であり、開放端辺に形成した結合部材を籠の側面又は底面に係合させて小物収納部を形成することを特徴とする請求項１記載の洗浄用ラック。
【請求項６】
区画部材は上面と上面の対向する両端辺から略直角に張出する側面を備えた断面略コの字形状に形成され、区画部材は一側面端部を籠に枢着して籠に回動自在に設置され、区画部材の横面が籠の底面に着接した状態を形成自在であることを特徴とする請求項１記載の洗浄用ラック。
【請求項７】
籠又は区画部材に結合孔を形成すると共に区画部材又は籠に結合軸を形成し、該結合孔に該結合軸を挿通することにより区画部材を籠に回動自在に設置することを特徴とする請求項１乃至請求項６記載の洗浄用ラック。
【請求項８】
結合孔は長孔であることを特徴とする請求項７に記載の洗浄用ラック。
【請求項９】
籠内面には被洗浄物を支持する支持部材を張出させ、区画部材には該支持部材を貫通させる挿通孔を形成したことを特徴とする請求項１乃至請求項８記載の洗浄用ラック。
【発明の詳細な説明】
【０００１】
【発明の属する技術分野】本発明は食器自動洗浄機にて食器を洗浄する際に食器を収納する洗浄用ラックに関し、特に様々なサイズ及び形状の被洗浄物を収納可能であると共に、小型で軽量の被洗浄物のラック外への飛び出しを防止可能な洗浄用ラックに関する。
【０００２】
【従来の技術】食器自動洗浄機は洗浄室に食器を収納した洗浄用ラックを配置し、食器に向けて洗浄水を噴射することにより、食器を洗浄するものである。そして、該食器自動洗浄機に使用される洗浄用ラックは、特開平８−７２８７２等に提案されているように側面及び底面には洗浄水が貫通する為の適宜の孔を有する上部開口の籠状に形成され、該上部開口から被洗浄物たる皿、椀、プレート、箸、スプーン等の食器を設置するように形成されている。又、これらの被洗浄物たる食器に洗浄水が満遍なく降りかかるように、食器を立てて並べると共に、その設置位置に適宜間隔をもたせるために洗浄用ラックの底面或いは側面から支持部材を適宜張出させている。
【０００３】
従って、従来の洗浄用ラックは被洗浄物の形状、大きさにより異なる種類の洗浄用ラックを必要とし、被洗浄物に適合した複数のラックが必要となり、又、その保管スペースもラックごとに必要となり、使用されないで待機している洗浄用ラックの数が増え、広い保管スペースを必要としていた。又、被洗浄物に合わせて洗浄用ラックを入れ替えて使用しなければならず作業が煩雑となっていた。
【０００４】
又、小型で軽量の食器の場合、食器を直接洗浄用ラックに設置して洗浄すると、勢いよく噴射される洗浄水により洗浄用ラックの外へ飛び出してしまうことがよくあった。特に箸、スプーン等の小型で軽量の食器の場合にはそれが顕著であった。
【０００５】
このような軽量な被洗浄物の洗浄用ラックからの飛び出しを防止するため、特開平６−２１７９２０にあるように柔軟性を有する網目状の蓋体を洗浄籠に開閉自在に取付けたものが提案されている。又、特開平７−３２７９１１、特開平８−２６６４５９では、洗浄用ラック本体と同一の線状部材からなる蓋体を洗浄用ラックの上部開口部に開閉自在に設置したものも提案されている。その他、これと類似して適宜の網、ネット、蓋を洗浄用ラックの上部開口部に開閉自在或いは着脱自在に設置したものが使用されていた。又、特開平１１−１５１１９５、特開２０００−２８７９０４、特開２００１−２３１７３７では箸、スプーン等の軽量の食器を収納する専用の小物入れを洗浄用ラックに設置することも提案されている。
【０００６】
しかし、洗浄用ラック本体と同一の線状部材からなる蓋体を洗浄用ラックの上部開口部に開閉自在に設置した洗浄用ラックは軽量な被洗浄物の洗浄用ラックからの飛び出しの防止は可能となるが、収納可能な被洗浄物の形状、大きさが限定されてしまうといった欠点があった。又、軽量の食器を収納する専用の小物入れを洗浄用ラックに設置するした場合には、小型の軽量の食器を洗浄する必要がない場合にはデッドスペースとなってしまい、着脱が可能であっても着脱の作業が煩雑であり、はずした場合の保管スペースを必要とするという問題点を有していた。更に、このような小物入れではお玉や杓文字の収納が不可能という欠点もあった。
【０００７】
又、柔軟性を有する網目状の蓋体を洗浄籠に開閉自在に取付けた洗浄用ラックは、大型の皿等を洗浄籠の端部に設置することが出来ず、大型の皿等を多数収納して洗浄籠の端部から他端部まで配置することが不可能であり、様々な大きさ、形状の被洗浄物の収納に不向きで、汎用性にかけるという欠点を有していた。又、籠の収納部には全く区切りがないので、小型で軽量の食器が一緒に収納された皿等と激しく接触して、皿等の破損や騒音の発生が不可避であるという欠点を有していた。
【０００８】
【発明が解決しようとする課題】そこで、本発明は、上記従来技術の問題点を解決し、様々なサイズ及び形状の被洗浄物を収納可能であると共に、小型で軽量の被洗浄物のラック外への飛び出しを防止可能であって、且つ、小型で軽量の被洗浄物の為の固定された収納スペースを有さず、必要なときにのみ容易に小型で、軽量の被洗浄物の為の収納スペースを形成可能な汎用性を有する洗浄用ラックを提供することを目的とする。
【０００９】
【課題を解決するための手段】上記課題を解決する為の本発明における第一の手段は、食器洗浄機に用いる食器を収納するための洗浄用ラックであって、底面及び側面を備える上部開口の函状である籠と、籠の内部に回動自在に設置される区画部材とを備え、区画部材は籠の内面に着接した状態と、籠の底面又は籠の底面及び側面と共に小物収納部を形成する状態とを形成自在であることを特徴とする洗浄用ラックである。
【００１０】
又、第二の手段は、第一の手段において、区画部材は縦面と縦面の端辺から縦面と略直角に張出する横面を備えた断面略Ｌ字形状に形成され、区画部材は区画部材の縦面端部を籠に枢着して籠に回動自在に設置され、区画部材の横面が籠の底面に着接した状態を形成自在であることを特徴とする洗浄用ラックである。
【００１１】
又、第三の手段は、第二の手段において、区画部材は縦面同士が対向位置に設置され、区画部材の横面の端辺同士を着接或いは近接させて、籠の底面又は籠の底面及び側面と共に小物収納部を形成することを特徴とする洗浄用ラックである。
【００１２】
又、第四の手段は、第一の手段において、区画部材は平面状に形成され、一側辺を籠の底面に回動自在に枢支し、区画部材の横面が籠の底面に着接した状態を形成自在であり、開放端辺を籠の側面又は他の区画部材の開放端辺と着接させて小物収納部を形成することを特徴とする洗浄用ラックである。
【００１３】
又、第五の手段は、第一の手段において、区画部材は平面状に形成された２個以上の補助区画部材を補助区画部材の側辺同士を回動自在に結合して構成し、１個の補助区画部材の一側辺を籠の底面又は側面に回動自在に枢支し、補助区画部材が籠の底面又は籠の底面及び側面に着接した状態を形成自在であり、開放端辺に形成した結合部材を籠の側面又は底面に係合させて小物収納部を形成することを特徴とする洗浄用ラックである。
【００１４】
又、第六の手段は、第一の手段において、区画部材は上面と上面の対向する両端辺から略直角に張出する側面を備えた断面略コの字形状に形成され、区画部材は一側面端部を籠に枢着して籠に回動自在に設置され、区画部材の横面が籠の底面に着接した状態を形成自在であることを特徴とする洗浄用ラックである。
【００１５】
又、第七の手段は、第一乃至第六の手段において、籠又は区画部材に結合孔を形成すると共に区画部材又は籠に結合軸を形成し、該結合孔に該結合軸を挿通することにより区画部材を籠に回動自在に設置することを特徴とする洗浄用ラックである。
【００１６】
又、第八の手段は、第七の手段において、結合孔は長孔であることを特徴とする洗浄用ラックである。
【００１７】
又、第九の手段は、第一乃至第八の手段において、籠内面には被洗浄物を支持する支持部材を張出させ、区画部材には該支持部材を貫通させる挿通孔を形成したことを特徴とする洗浄用ラックである。
【００１８】
上記のような第一乃至第十二の手段によれば、様々なサイズ及び形状の被洗浄物を収納可能であると共に、小型で軽量の被洗浄物のラック外への飛び出しを防止可能であって、且つ、小型で軽量の被洗浄物の為の固定された収納スペースを有さず、必要なときにのみ容易に小型で軽量の被洗浄物の為の収納スペースを形成可能な汎用性を有する洗浄用ラックを提供することができる。
【００１９】
【発明の実施の形態】以下本発明の実施の形態を図に従って詳細に説明する。洗浄用ラック１は籠２、区画部材３、結合軸４、支持部材５を備え、区画部材３は籠２に架設した結合軸４と枢結して籠２の内部に回動自在に設置されている。これらは夫々ステンレス等の金属製の線状材を適宜に切断、折り曲げ、溶接等することにより形成されている。勿論、線状材に限定されず、適宜に孔を有する板状体を折り曲げ、溶接等することにより形成してもよく、又、金属製に限定されることなく、合成樹脂等により形成することとしてもよい。即ち、籠２及び区画部材３は洗浄水が挿通可能な構成とすればよく、その構成部材や素材は特に限定されない。合成樹脂により形成する場合には前記部材を夫々別個に、或いは籠２と支持部材５は一体に射出成形等により形成することが可能である。又、金属製の線状材に合成樹脂をコーティングすることとしてもよい。
【００２０】
籠２は方形の底面２１と適宜高の側面２２から形成される上部開口の函状体であり、被洗浄物たる食器を収納するものである。底面２１及び側面２２は上述のような線状材を適宜間隔をおいて碁盤目状に配列して構成し、特に箸、スプーン等の小型で軽量の食器（以下小物と称する場合がある）を収納するための空間である小物収納部６部分の底面２１及び側面２２は小物が網目から脱落しない程度の細かい網目に形成されている。尚、籠２の内面とは底面２１及び側面２２の内側の面をいう。
【００２１】
結合軸４は側面２２２から区画部材３の横面３１の縦辺３１１の長さ以上距離をおいて、籠２の対向する側面２２１，２２１間に渡って、側面２２の高さの中間に位置して側面２２を構成する線状材２２３，２２３に結合させて側面２２高さの略中央に設置する。このように配置する結合軸４を対向させ、且つお互いの距離を区画部材３の横面３１の縦辺３１１の２倍として２本設置している。
【００２２】
区画部材３は籠２の底面２１及び側面２２１，２２１と共に小物収納部６を形成して、小物の被洗浄物の洗浄用ラック１からの飛び出しを防止するためのものであり、横面３１と縦面３２から構成され、縦面３２の一側端の両端には結合孔３２１，３２１が形成され、対向する他端側から縦面３２と略直角に横面３１が張出し、略Ｌ字形状に形成されている。横面３１及び縦面３２は上述のような線状材を小物が網目から脱落しない程度の適宜間隔をおいて碁盤目状に配列して構成すると共に、横面３１及び縦面３２には支持部材５を貫通させるための挿通孔３１９，３１９…を支持部材５，５の形状、配置に適応させて形成している。挿通孔３１９は区画部材３が回動する際或いは籠２の底面２１に着接する際に区画部材３が支持部材５に阻まれることなく、回動及び着接可能とするものである。尚、横面３１及び縦面３２は側端辺間に渡って配置される線状材を側端辺に配置される線状材より細い線状材とするなど、部分的に適宜線状材の形状を異ならせてもよい。
【００２３】
区画部材３は結合孔３２１に結合軸４を挿入することにより籠２に回動自在に設置されている。結合孔３２１は縦面３２を構成する側端辺の端部を円状に湾曲させて縦面３２の一側端の両端に形成する。尚、籠２の対向する側面２２１，２２１間に渡る結合軸４及び縦面３２の一側端に結合孔３２１，３２１を設けるのではなく、図５に示すように縦面３２の一側端に線状部材の横辺３２２を設けてその両端を外側に突出形成して結合軸４１とし、籠２の対向する側面２２１，２２１を構成する線状材２２３，２２３に設けた結合孔３２９，３２９に挿入することにより区画部材３を籠２に回動自在に設置することとしてもよい。
【００２４】
結合軸４には夫々２個の区画部材３，３が並んで枢支され、洗浄用ラック１全体としては、上述のように配列された２本の結合軸４，４に夫々区画部材３が２個づつ枢結されている。区画部材３の不使用時即ち、区画部材３の収納時であり小物収納部６を形成しない時に区画部材３は縦面３２が結合軸４から下方に籠２の底面２１に略垂直に位置すると共に、横面３１が籠２の内面の籠２の底面２１に着接した状態に配置される。この際支持部材５２は挿通孔３１９を貫通して区画部材３とは接触しない。区画部材３の使用時、即ち小物収納部６形成時には、縦面３２は結合軸４から上方に籠２の底面２１に略垂直に位置すると共に、横面３１が支持部材５１上端部に支持され、籠２の底面２１と平行に離間した状態に配置される。この時対向する区画部材３，３の横面の端辺同士が近接或いは接触している。尚、区画部材３の先端部にフック等の結合部材を備え、対向する区画部材３，３の先端部同士を結合することとしてもよい。
【００２５】
このように本実施例においては、区画部材３は２対４個が設置されているが、籠２の大きさ、区画部材３の大きさによっては、図５に示すように区画部材３は対向する１対２個、或いは１個のみ等適宜数を設置することとしてもよい。
【００２６】
支持部材５は皿等の被洗浄物を立てた状態に支持すると共に、被洗浄物に適宜の間隔を持たせて洗浄水を被洗浄物に満遍なく噴射する為の部材であり、籠２の底面２１に適宜植立配置している。その形状は縦断面が逆Ｕ字型、三角型、四角型、棒状等適宜の形状とすることが出来る。又、その高さは籠２の側面２２より上方に突出しなければ特に限定されず適宜高とすることが出来、又、前後左右の間隔も任意である。
【００２７】
本実施例においては支持部材５は結合軸４と平行に籠２の中央部、即ち小物収納部６部分に設置される支持部材５１，５１…と結合軸４と直角に籠２の側面２２２，２２２側に設置される支持部材５２，５２…を備えている。尚、支持部材５の設置は任意であり、設置しなくてもよく、支持部材５１又は支持部材５２のいずれか一方のみを設置することとしてもよい。
【００２８】
小物収納部６は小物を収納するための空間であり、区画部材３と籠２の底面２１或いは底面２１及び側面２２で画定されて形成される空間である。小物収納部６は区画部材３の収納時、即ち区画部材３が内面、ここでは籠２の底面２１に着接しているときには形成されず、区画部材３を底面２１に着接した状態から回動し回動完了時に形成される。
【００２９】
尚、図示しないが籠２の対向する側面２２，２２の上部中央付近に適宜本洗浄用ラックの運搬用の取っ手を形成することとしてもよい。
【００３０】
区画部材３の不使用時、即ち小物を洗浄しない時には区画部材３は縦面３２が結合軸４から下方に籠２の底面２１に略垂直に位置させると共に、横面３１が結合軸４と側面２２２間の籠２の底面２１に着接した状態に配置するので、区画部材３の横面３１上及び小物収納部６を構成する籠２の底面２１上に任意の被洗浄物をその形状、大きさに制限されることなく収納することが可能となる。小物を洗浄する場合には、先ず、小物を小物収納部６を構成する籠２の底面２１上に置き、区画部材３，３を回動させて、縦面３２を結合軸４から上方に籠２の底面２１に略垂直に位置させると共に、横面３１が支持部材５１上端部に支持され、籠２の底面２１と平行の状態に配置して、小物収納部６を形成して小物を該小物収納部６内に内在させ、同時に皿等を小物収納部６と側面２２２，２２２間に設置する。その後に食器洗浄機に搬入して洗浄を開始する。
【００３１】
又、洗浄用ラック１は上記の構成以外にも区画部材３の構成、形状を以下のように変化させて形成することが可能である。以下に示す区画部材３も上述のような線状材を小物が網目から脱落しない程度の適宜間隔をおいて碁盤目状に配列して構成すると共に、支持部材５を貫通させるための挿通孔３１９，３１９…を支持部材５，５の有無、形状、配置に適宜適応させて形成している。勿論、以下の区画部材３も前述の通り板状体により形成してもよく、又、金属製に限定されることなく、合成樹脂等により形成することとしてもよい。又、小物収納部６を画定する籠２の底面２１或いは側面２２の部分は適宜小物が網目から脱落しない構成とする。
【００３２】
第二の実施例として、図７に示すように結合孔３２１を長孔に形成している。長孔状の結合孔３２１は側面３２の縦辺３２５と同等の長さに縦辺３２５の線状材を延長、屈曲して形成する。このように形成することにより、結合孔３２１は区画部材３の不使用時には結合軸４が長孔状の結合孔３２１の上面３１と反対方向に位置して、区画部材３は側面３２が結合軸４から下方に籠２の底面２１に略垂直に位置すると共に、上面３１が籠２の底面２１に着接した状態に配置される。一方区画部材３の使用時、即ち小物収納部６形成時には、結合軸４が長孔状の結合孔３２１の上面３１側に位置して、側面３２は結合軸４から下方に籠２の底面２１に略垂直に位置すると共に、上面３１は籠２の底面２１と平行の状態に配置される。即ち、側面３２と籠２の底面２１との間に隙間を生じることがない。小物収納部６に配置されている支持部材５は上面３１に形成された孔３１９を貫通する。上面３１上に皿等を配置することも可能である。
【００３３】
又、尚、結合軸４及び側面３２の一側端に結合孔３２１，３２１を設けるのではなく、側面３２の一側端の線状部材である横辺３２２の両端を外側に突出形成して結合軸４１とし、籠２の対向する側面２２１，２２１を形成する縦線２２３に縦方向に長い長孔を設けて結合孔として該結合孔３２９に挿入することにより区画部材３を籠２に回動自在に設置することとしてもよい。
【００３４】
更に、図８に示すように区画部材３の線状部材である横辺３２２の両端を外側に突出形成することなく横辺３２２をそのまま結合軸として用い支持部材５又は底面２１から上方に突出させて設けた結合孔４８に挿入することとしてもよい。このような場合の結合孔４８は線状部材を円状又は上下方向に長い長孔状に湾曲させ、或いは板状体に孔又は溝を形成した部材を溶接等により側面３２、底面３１或いは支持部材５に設置して形成すればよい。
【００３５】
このように区画部材３を籠２に枢支するための結合孔を長孔状に形成することにより、区画部材３の側面３２と籠２の底面２１間に隙間を生じることがなく、小物収納部６は完全に六面総てが囲まれた空間となり、小物が小物収納部６から脱することを完全に防止可能となる。又、区画部材３の上面３１上に更に皿等の被洗浄物を配置することも可能となる。
【００３６】
又、第三の実施例として、図９に示すように平面状の区画部材３９，３９を籠２の底面２１に回動自在に設置している。区画部材３９の不使用時には区画部材３９，３９は底面２１に着接させ、或いは一方の区画部材３９を底面２１に着接させ他の区画部材３９を底面２１に着接させた区画部材３９に着接させて収納し、区画部材３９の使用時には区画部材３９，３９の開放端辺７同士を当接して断面三角形の小物収納部６を形成する。区画部材３９の開放端辺７にフック等の結合部材６９を備え、使用時には対向する区画部材３９，３９の開放端辺７同士を係合することが望ましい。
【００３７】
尚、開放端辺７とは区画部材又は補助区画部材の側端辺であって、籠２に枢支された側辺に対向する、籠２に枢支されていない側端辺或いは籠２に枢支された補助区画部材に枢支された他の補助区画部材の側端辺であって補助区画部材に枢支された側辺に対向する、籠２及び補助区画部材に枢支されていない側端辺である。
【００３８】
又、第四の実施例として、図１０に示すように区画部材３８は平面状の補助区画部材３８１，３８２から構成されている。補助区画部材３８１は籠２の底面２１に回動自在に枢支され、補助区画部材３８２と補助区画部材３８１は回動自在に結合している。区画部材３８の不使用時には補助区画部材３８１，３８２を一平面にして底面２１に着接させ、或いは一方の補助区画部材３８１を底面２１に着接させ他の補助区画部材３８２を底面２１に着接させた補助区画部材３８１に着接させて収納し、区画部材３８の使用時には補助区画部材３８２の開放端辺７に形成した結合部材たるフック３８９を底面２１を構成する線状部材に係合し、補助区画部材３８１と補助区画部材３８２の接辺を頂点とする断面三角形の小物収納部６を形成する。フック３８９の係合位置により小物収納部６の底面部分の面積を変化させることが可能である。又、結合部材としてフック３８９を補助区画部材３８２の開放端辺７に形成するのではなく、底面２１にフックを形成して補助区画部材３８２の開放端辺７を構成する線状部材を該フックに係合させる構成としてもよい。
【００３９】
又、第五の実施例として、図１１及び図１２に示すように区画部材３７は平面状の補助区画部材３７１，３７２から構成されている。補助区画部材３７１は籠２の側面２２に回動自在に枢支され、補助区画部材３７２と補助区画部材３７１は回動自在に結合している。区画部材３７の不使用時には補助区画部材３７１は籠２の側面２２着接し、補助区画部材３７２は底面２１に着接させる。区画部材３７の使用時には補助区画部材３７２の開放端辺７に形成したフック３８９を底面２１を構成する線状部材に係合し、底面２１、側面２２，２２，２２、補助区画部材３７１及び補助区画部材３７２に囲まれた断面四角形の小物収納部６を形成する。フック３８９の係合位置により小物収納部６の底面部分の面積を変化させることが可能である。
【００４０】
又、第六の実施例として、図１３に示すように横面３６１とその両側辺から略直角に延設した縦面３６２，３６２から構成される区画部材３６を配置している。一方の縦面３６２の先端部に結合孔３２１，３２１を形成し、籠２の側面２２１，２２１間に渡って架設された結合軸４を結合孔３２１に挿通して区画部材３６を籠２に回動自在に枢支している。小物収納部６の形成時には結合孔３２１を有さない縦面３６２の先端部が底面２１に当接するか或いは横面３６１が支持部材５上に載置されて上面３６１と籠２の底面２１が平行に位置する。又、結合孔３２１を前述のような長孔として形成することとしてもよい。
【００４１】
又、第七の実施例として、平面状の区画部材３５を籠２の底面２１に回動自在に設置している。区画部材３５の不使用時には区画部材３５は底面２１に着接させて収納し、区画部材３５の使用時には区画部材３５を籠２の側面２２に立掛けて断面三角形の小物収納部６を形成する。区画部材３５の開放端辺７にフック等の結合部材３５９を備え、使用時には側面２２に結合することが望ましい。
【００４２】
【発明の効果】上記のような請求項１乃至請求項３及び請求項７記載の発明によれば、様々なサイズ及び形状の被洗浄物を収納可能であると共に、小型で、軽量の被洗浄物のラック外への飛び出しを防止可能であって、且つ、小型で軽量の被洗浄物の為の固定された収納スペースを有さず、必要なときにのみ容易に小型で、軽量の被洗浄物の為の収納スペースを形成可能な汎用性を有する洗浄用ラックを提供することができた。
【００４３】
又、請求項４記載の発明によれば、更に簡素な構成で、必要なときのみに容易に、小型で軽量の被洗浄物の為の収納スペースを形成可能可能となった。
【００４４】
又、請求項５記載の発明によれば、小型で軽量の被洗浄物の為の収納スペースを任意の形状、広さに形成可能であり、小物の量に適応させてスペースを構成でき便である。
【００４５】
又、請求項６、請求項８及び請求項９記載の発明によれば、小型で軽量の被洗浄物の為の収納スペースは完全に包囲されるので、小物の飛び出し防止力が更に高まった。更に、当該収納スペースの上部にも他の被洗浄物を設置するスペースが生じ、一度に多くの被洗浄物の洗浄が可能となった。
【図面の簡単な説明】
【図１】本発明一実施例の区画部材の収納時を示す斜視図
【図２】本発明一実施例の区画部材の使用時を示す斜視図
【図３】本発明一実施例の区画部材の収納時を示す上面図
【図４】本発明一実施例側面図
【図５】本発明他実施例の区画部材の使用時を示す斜視図
【図６】本発明他実施例側面図
【図７】本発明第二実施例側面図
【図８】本発明変形第二実施例側面図
【図９】本発明第三実施例側面図
【図１０】本発明第四実施例側面図
【図１１】本発明第五実施例区画部材の収納時を示す側面図
【図１２】本発明第五実施例区画部材の使用時を示す側面図
【図１３】本発明第六実施例側面図
【図１４】本発明第七実施例側面図
【符号の説明】
１　　　　洗浄用ラック
２　　　　籠
２１　　　籠の底面
２２　　　籠の側面
３　　　　区画部材
３１　　　区画部材の横面
３１９　　挿通孔
３２　　　区画部材の縦面
３２１　　結合孔
４　　　　結合軸
５　　　　支持部材
６　　　　小物収納部
６９　　　結合部材
７　　　　開放端辺
【図１】
2004049616.tif 000003
【図２】
2004049616.tif 000004
【図３】
2004049616.tif 000005
【図４】
2004049616.tif 000006
【図５】
2004049616.tif 000007
【図６】
2004049616.tif 000008
【図７】
2004049616.tif 000009
【図８】
2004049616.tif 000010
【図９】
2004049616.tif 000011
【図１０】
2004049616.tif 000012
【図１１】
2004049616.tif 000013
【図１２】
2004049616.tif 000014
【図１３】
2004049616.tif 000015
【図１４】
2004049616.tif 000016